(57)【特許請求の範囲】
【請求項１】
傘の石突に装着する石突側装着部材と、
傘の布地に取り付けられたまとめ用バンドに装着するバンド側装着部材と、
前記石突側装着部材と前記バンド側装着部材とを接続する接続部材とを備えた傘の巻取り装置であって、
傘の巻取り装置を取り付けた傘を利用者が回転させると、前記バンド側装着部材が、前記接続部材によって前記石突側装着部材との距離を一定に保ちながら回転して、傘の布地を巻き取ることを特徴とする傘の巻取り装置。
【請求項２】
請求項１に記載の傘の巻取り装置において、
前記石突側装着部材は、前記石突を軸として回転する回転機構を備えることを特徴とする傘の巻取り装置。
【請求項３】
請求項１または２に記載の傘の巻取り装置において、
前記石突側装着部材は、前記接続部材との接続部に、前記石突に対して水平方向から垂直方向、及びその逆方向へ向けて前記接続部材の角度を可変にするためのジョイント機構を備えることを特徴とする傘の巻取り装置。
【請求項４】
請求項１〜３のいずれか一項に記載の傘の巻取り装置において、
前記バンド側装着部材は、傘の布地をまとめた状態で固定するための固定用部材を含んで構成されることを特徴とする傘の巻取り装置。
【請求項５】
請求項１〜４のいずれか一項に記載の傘の巻取り装置において、
前記バンド側装着部材は、前記接続部材との接続部に、重りの役割も兼ねる結合部材を備えることを特徴とする傘の巻取り装置。
【請求項６】
請求項１〜５のいずれか一項に記載の傘の巻取り装置において、
前記接続部材は、棒状の部材であることを特徴とする傘の巻取り装置。
【請求項７】
請求項１〜６のいずれかに記載の傘の巻取り装置を取り付けた傘。

【発明の詳細な説明】
【技術分野】
【０００１】
本発明は、傘の巻取り装置、および傘の巻取り装置を取り付けた傘に関する。
【背景技術】
【０００２】
次のような雨傘をくくるための装置が知られている。この雨傘をくくるための装置では、巻き取った状態の傘をくくるためのひもに重りを付けることにより、傘を円を描くように回すだけで傘の布地を巻き取ることができる（例えば、特許文献１）。
【先行技術文献】
【特許文献】
【０００３】
【特許文献１】特開平１０−５０２４号公報
【発明の概要】
【発明が解決しようとする課題】
【０００４】
従来の雨傘をくくるための装置においては、傘をまとめるためのひもに磁石や面ファスナーなどの固定用部材を取り付けておき、傘のひもが傘を一周すると、固定用部材によってひもが固定される構造になっていた。しかしながら、従来の雨傘をくくるための装置のように、ひもにつけた重りによる遠心力を利用して傘をまとめる場合、傘を回す角度によっては、回転途中でひもが上下にぶれてしまったり、傘を一周したときにひもが上下にずれてしまう可能性があり、固定用部材によってひもを固定できない可能性があった。
【課題を解決するための手段】
【０００５】
本発明による傘の巻取り装置は、傘の石突に装着する石突側装着部材と、傘の布地に取り付けられたまとめ用バンドに装着するバンド側装着部材と、石突側装着部材とバンド側装着部材とを接続する接続部材とを備えた傘の巻取り装置であって、傘の巻取り装置を取り付けた傘を利用者が回転させると、バンド側装着部材が、接続部材によって石突側装着部材との距離を一定に保ちながら回転して、傘の布地を巻き取ることを特徴とする。
本発明による傘は、上記の傘の巻取り装置を取り付けたことを特徴とする。
【発明の効果】
【０００６】
本発明による傘の巻取り装置では、石突側装着部材とバンド側装着部材とを接続部材で接続したため、傘を回す角度が変わっても石突側装着部材とバンド側装着部材との距離が一定に保たれるので、まとめ用バンドが回転途中で上下にぶれたり、まとめ用バンドが傘を一周したときに上下にずれてしまうことを防ぐことができる。
【図面の簡単な説明】
【０００７】
【図１】傘の巻取り装置１０の一実施の形態の構成を模式的に示した図である。
【図２】傘の巻取り装置１０を取り付けた傘の一実施の形態の構成を模式的に示した図である。
【図３】石突側装着部材１を上方から見た状態を模式的に示した図である。
【図４】石突側装着部材１を側方から見た状態を模式的に示した図である。
【図５】石突側装着部材１の石突への取り付け方法を模式的に示した図である。
【図６】傘の巻取り装置１０の使用方法を模式的に示した第一の図である。
【図７】傘の巻取り装置１０の使用方法を模式的に示した第二の図である。
【図８】接続部材３としてひも状の部材を用いた場合を模式的に示した図である。
【発明を実施するための形態】
【０００８】
図１は、本実施の形態における傘の巻取り装置の一実施の形態の構成を模式的に示した図である。傘の巻取り装置１０は、傘の石突に装着する石突側装着部材１と、傘の布地に取り付けられたまとめ用バンドに装着するバンド側装着部材２と、石突側装着部材１とバンド側装着部材２とを接続する接続部材３とを備えている。
【０００９】
傘の巻取り装置１０は、図２に示すように、傘に装着されることによって、傘の布地を軸に巻き取ってまとめるための装置として利用される。傘の巻取り装置１０を利用した布地のまとめ方については、後述する。
【００１０】
石突側装着部材１は、回転部１ａと、接続部材３と接続されるジョイント部１ｂとで構成される。図３は、石突側装着部材１を上方から見た状態を模式的に示した図である。図３に示すように、石突側装着部材１には、回転部１ａの内側に、傘の石突を挿入するための円形の挿入部１ｃが設けられている。挿入部１ｃの直径は、石突の径より大きく設計されており、挿入部１ｃに石突を挿入した状態で、石突を軸として石突側装着部材１が回転可能な構造となっている。
【００１１】
ジョイント部１ｂは、図３に示すように、接続軸１ｄを接続部材３の固定位置に設けられた穴に通すことにより、石突側装着部材１と接続部材３とを接続する構造となっている。このように、接続軸１ｄを用いた接続方法を採用することにより、接続部材３は、石突に対して水平方向から垂直方向、及びその逆方向へ向けて角度を変えることが可能となる。すなわち、図３の矢印Ａ方向から見た状態を示す図４（Ａ）においては、接続部材３は、接続軸１ｄを軸として、図４の左右方向に角度を変えることができる。また、図３の矢印Ｂ方向から見た状態を示す図４（Ｂ）においては、接続部材３は、接続軸１ｄを軸として、図４の前後方向に角度を変えることができる。
【００１２】
バンド側装着部材２は、傘の布地に取り付けられたまとめ用バンドに装着して、傘に元々付いていたまとめ用バンドとともに、傘の布地をまとめた状態で固定するためのひも状の部材である。バンド側装着部材２は、その一端が傘のまとめ用バンドに装着され、他端が接続部材３と結合している。バンド側装着部材２と接続部材３との結合方法は限定されないが、後述するように、利用者が傘を回転させた場合でも、バンド側装着部材２と接続部材３とが外れることがないような結合方法により結合されている。また、バンド側装着部材２と接続部材３と結合部、またはその近傍には、利用者が傘を回転させた際に、バンド側装着部材２が遠心力により回転して傘をまとめるように、重りの役割を果たす部材が設けられる。本実施の形態では、例えば、図２に示したバンド側装着部材２と接続部材３と結合部分の部材１０ａとして、バンド側装着部材２を遠心力により回転させるために十分な重さを有する部材が用いられている。
【００１３】
なお、ここで用いる重りの重さは特に限定されないが、軽すぎると傘の巻取り装置１０としての役割を果たさず、重すぎると傘に取り付けた際に傘が重くなってしまう上、傘を回転させた際にまとめ用バンドと傘の布地の結合部に強い力がかかり、布地を破損させてしまうおそれがあるため、あらかじめ検証された適度な重さが採用されているものとする。
【００１４】
本実施の形態では、バンド側装着部材２を傘の布地に取り付けられたまとめ用バンドに装着した際に、その長さが、一般的な傘のまとめ用バンドの１．５倍程度の長さになるように、バンド側装着部材２の長さが設計されているものとする。これによって、傘をまとめたときに、まとめ用バンドに取り付けられたバンド側装着部材２の長さが足りずに、布地を固定できないといった不具合を防ぐことができる。例えば、市販されている一般的な６０ｃｍサイズの傘の場合、傘をまとめたときにバンド側装着部材２が傘の周囲を一周半する程度の長さとして、２２ｃｍ程度の長さになるように、バンド側装着部材２の長さは設計される。
【００１５】
バンド側装着部材２は、一般的な傘のまとめ用バンドと同様に、傘の布地をまとめた状態で固定する役割も果たす。このため、バンド側装着部材２は、傘の布地が巻き取られた状態で固定するための固定用部材を含んで構成される。例えば、布地をまとめた際にバンド側装着部材２が一周して重なる位置に磁石や面ファスナーや粘着力のある素材などの着脱可能な部材が配置される。あるいは、表面と裏面が張り付く両面タイプの面ファスナーをバンド側装着部材２として用いることによって、布地をまとめた際にバンド側装着部材２が一周半程度し、表面と裏面が張り付くことで、傘の布地を固定するようにしてもよい。
【００１６】
接続部材３は、石突側装着部材１とバンド側装着部材２とを接続する棒状の部材である。傘の巻取り装置１０が傘に取り付けられることを加味し、接続部材３は、軽くて錆びにくい素材、例えば、アルミ、ステンレス、樹脂等の細棒を用いることが好ましい。また、接続部材３は、傘の石突に取り付けられる石突側装着部材１と、傘のまとめ用バンドに取り付けられるバンド側装着部材２とを接続する部材であるため、その長さは、傘の石突部分から傘のまとめ用バンドまでの長さと略同一とすることが好ましい。このため、傘の巻取り装置１０は、接続部材３の長さが異なる複数パターンの製品が用意され、利用者が傘のサイズに応じた最適な長さの製品を選択できるのが好ましい。なお、一例を挙げると、市販されている一般的な６０ｃｍサイズの傘の場合、接続部材３の長さは４４ｃｍ程度となる。
【００１７】
上述した傘の巻取り装置１０は、図２に示したように、傘に装着して利用される。以下、傘の巻取り装置１０の傘への装着方法について説明する。なお、傘の巻取り装置１０は、傘の巻取り装置１０を単体で販売し、これを購入した利用者が、自身が所持する傘に取り付けて利用することもできる。また、傘の製造者や販売者が、あらかじめ傘に傘の巻取り装置１０を取り付け、傘の巻取り装置１０を装着した傘を利用者に販売することもできる。このため、傘の巻取り装置１０を傘に取り付ける人物は特に限定されない。
【００１８】
傘の巻取り装置１０を傘に取り付けるためには、石突側装着部材１を傘の石突に装着し、バンド側装着部材２を傘のまとめ用バンドに装着する必要がある。バンド側装着部材２は、傘に付いているまとめ用バンドの所定位置に取り付けられる。取り付け位置は、まとめ用バンドの根元部分、先端部分、途中部分など、特に限定はされないが、少なくとも、傘をまとめたときに、バンド側装着部材２が傘を一周して固定用部材により布地が固定されるように、取り付け位置を決定する必要がある。また、バンド側装着部材２を傘のまとめ用バンドに結合する方法は特に限定されないが、例えば、バンド側装着部材２を傘のまとめ用バンドに縫い付けたり、ホッチキス（登録商標）で止めたり、接着剤を用いて接着したり、ボタンを用いて結合させたりすればよい。
【００１９】
図５は、石突側装着部材１の石突への取り付け方法を模式的に示した図である。図５（Ａ）に示すように、石突側装着部材１は、挿入部１ｃに傘の石突を通すことによって石突に装着され、その上下はストッパー用部材４を用いて固定される。ストッパー用部材４は、図５（Ｂ）に示すように、四方からネジ５により石突に固定することができ、これによって、石突側装着部材１が上下に移動することを防ぐことができる。また、図５（Ａ）に示すように、使用者が傘を回した際に石突側装着部材１が回転するように、石突側装着部材１と上下のストッパー用部材４の間には、隙間が設けられる。なお、図３、図４に示した石突側装着部材１の構造、および図５に示した石突側装着部材１の取り付け方法は、あくまでも一例であって、本実施の形態における傘の巻取り装置１０の用途及び機能を維持することができれば、石突側装着部材１の構造及び傘への取り付け方法は、これに限定されない。
【００２０】
図６と図７を用いて、傘の巻取り装置１０の使用方法を説明する。図６は、傘の巻取り装置１０を用いて傘の布地をまとめる方法を模式的に示した図であり、図７は、傘の巻取り装置１０を用いて傘の布地を広げる方法を模式的に示した図である。
【００２１】
図６（Ａ）に示すように、利用者は、布地がまとめられていない傘を、手元（ハンドル）を持って回転させる。そうすると、バンド側装着部材２が遠心力により回転し、図６（Ｂ）に示すように、傘の布地の巻き取りが開始される。上述したように、バンド側装着部材２は、接続部材３と結合されており、石突側装着部材１は回転する構造となっているため、接続部材３もバンド側装着部材２とともに回転する。
【００２２】
利用者がそのまま回転を継続すると、図６（Ｃ）に示すように、傘の布地は巻き取られる。このとき、バンド側装着部材２には、回転によって傘に巻き付く方向に力が働いているため、バンド側装着部材２によって布地がまとめられ、上述した面ファスナー等の固定用部材により固定される。
【００２３】
本実施の形態における傘の巻取り装置１０では、接続部材３を設けたため、傘を回す角度が変わっても石突側装着部材１とバンド側装着部材２との距離を一定に保つことができる。このため、利用者は、傘を回す角度を意識しなくても、まとめ用バンドに連結したバンド側装着部材２をずれなく一周させて、傘をまとめた状態で固定させることができる。なお、まとめ用バンドに連結したバンド側装着部材２は、回転により傘に巻き付いていくため、傘の軸からの距離が回転とともに短くなっていく。石突側装着部材１のジョイント部１ｂは、これに合わせて傘の軸と接続部材３の角度を変えるための役割を果たしている。
【００２４】
布地がまとめられている状態の傘を広げるためには、利用者は、図７（Ａ）に示すように、傘をまとめたときとは逆方向に傘を回転させる。そうすると、バンド側装着部材２には、回転によって傘に巻き付く方向とは逆方向に力が働くため、図７（Ｂ）に示すように、面ファスナー等の固定用部材が外れ、接続部材３とともに、布地を広げる方向に回転を始める。利用者がそのまま回転を継続すると、図７（Ｃ）に示すように、傘の布地は広げられ、利用者は、傘を開いて使用できるようになる。
【００２５】
利用者が傘を開くと、布地は、傘の軸に対して垂直方向に開くことになる。本実施の形態における傘の巻取り装置１０では、石突側装着部材１と接続部材３の接続部に上述したジョイント機構１ｂを採用することにより、利用者が傘を開いたときに、石突に対する接続部材３の角度が布地の開きに連動するようになっている。
【００２６】
以上説明した本実施の形態によれば、以下のような作用効果を得ることができる。
（１）傘の巻取り装置１０は、傘の石突に装着する石突側装着部材１と、傘の布地に取り付けられたまとめ用バンドに装着するバンド側装着部材２と、石突側装着部材１とバンド側装着部材２とを接続する接続部材３とを備えるようにした。これによって、傘の利用者は、傘を回すだけで、手を濡らさずに傘の布地をまとめることができる。さらに、接続部材３を備えたことにより、傘を回転させたときに、石突側装着部材とバンド側装着部材との距離が一定に保たれるので、傘の角度が変わっても、まとめ用バンドが回転途中で上下にぶれたり、傘を一周したときに上下にずれてしまうことを防ぐことができる。
【００２７】
（２）石突側装着部材１は、傘の石突を軸として回転する回転機構を備えるようにした。これによって、接続部材３として棒状の部材を用いた場合でも、バンド側装着部材２の回転とともに接続部材３も回転させて、布地を巻き取ることができる。
【００２８】
（３）石突側装着部材１は、接続部材３との接続部に、石突に対して水平方向から垂直方向、及びその逆方向へ向けて接続部材３の角度を可変にするためのジョイント機構１ｂを備えるようにした。これによって、バンド側装着部材２が回転により傘に巻き付いた場合でも、これに合わせて傘の軸と接続部材３の角度を変えることができる。また、利用者が傘を開いたときに、布地の開きに合わせて接続部材３の角度を連動させることができる。
【００２９】
（４）バンド側装着部材２は、傘の布地をまとめた状態で固定するための固定用部材を含んで構成されるようにした。これによって、利用者は、傘を回転させて布地をまとめるだけでなく、まとめた状態で固定することができる。
【００３０】
（５）バンド側装着部材２は、接続部材３との接続部に、重りの役割も兼ねる接続用部材を備えるようにした。これによって、利用者が傘を回転させたときに、重り部分が遠心力で回転し、傘をまとめることができる。
【００３１】
―変形例―
なお、上述した実施の形態の傘の巻取り装置１０は、以下のように変形することもできる。
（１）上述した実施の形態では、接続部材３として棒状の部材を用いる例について説明した。しかしながら、接続部材３は、棒状の部材に限定されず、例えば、ひも状の部材を用いるようにしてもよい。接続部材３としてひも状の部材を用いた場合は、例えば、図８（Ａ）〜（Ｃ）に示すように、利用者が傘を回転させると、バンド側装着部材２が回転して布地をまとめるとともに、ひも状の接続部材３がらせん状に布地に巻き付くことになる。接続部材３としてひも状の部材を用いた場合は、石突側装着部材１は、傘の石突と接続部材３とを結合することができればよく、回転部１ａやジョイント部１ｂは必要としない。
【００３２】
（２）上述した実施の形態では、石突側装着部材１には、回転部１ａの内側に設けた挿入部１ｃの直径を石突の径より大きくすることで、挿入部１ｃに石突を挿入した状態で、石突を軸として石突側装着部材１が回転するようにした。しかしながら、石突側装着部材１に設ける回転機構はこれに限定されない。例えば、回転部１ａの内部にボールベアリングを用いた回転機構を搭載し、挿入部１ｃに石突を挿入した状態で固定しても、ボールベアリングを用いた回転機構により回転部１ａが回転することで、石突側装着部材１を回転させる構造としてもよい。
【００３３】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００３４】
１０  傘の巻取り装置
１  石突側装着部材
１ａ  回転部
１ｂ  ジョイント部
１ｃ  挿入部
２  バンド側装着部材
３  接続部材
４  ストッパー用部材
５  ネジ
【要約】
【課題】傘の布地をまとめるための装置を提供すること。
【解決手段】傘の巻取り装置１０は、傘の石突に装着する石突側装着部材１と、傘の布地に取り付けられたまとめ用バンドに装着するバンド側装着部材２と、石突側装着部材１とバンド側装着部材２とを接続する接続部材３とを備える。
【選択図】図１【図１】
0006047705.tif 000002
【図２】
0006047705.tif 000003
【図３】
0006047705.tif 000004
【図４】
0006047705.tif 000005
【図５】
0006047705.tif 000006
【図６】
0006047705.tif 000007
【図７】
0006047705.tif 000008
【図８】
0006047705.tif 000009